(57)【要約】【課題】  コードレス電話機能とファクシミリ通信機能とを具備する通信装置と、少なくとも読取機能を具備する画像処理装置と、無線接続によって通信装置との間で、制御信号と音声信号とを送受信するコードレス子機と、通信装置と画像処理装置とを接続するネットワークとを有する通信システムにおいて、通信装置に読取部を設けなくても、外部の画像処理装置の読取部を利用してファクシミリ送信することができるようにする。【解決手段】  画像処理装置におけるスタートキーの操作と同期して、画像処理装置が原稿を読み取り、読み取った原稿画像データとコードレス子機が指定した送信相手のダイヤルデータとを、通信装置に送信し、通信装置は、受信したダイヤルデータに対応する相手に、画像処理装置から受信した原稿画像データを送信する。【選択図】  図１
2007089041.tif 000002
【特許請求の範囲】
【請求項１】
コードレス電話機能とファクシミリ通信機能とを具備する通信装置と、少なくとも読取機能を具備する画像処理装置と、無線接続によって該通信装置との間で、制御信号と音声信号とを送受信するコードレス子機と、前記通信装置と前記画像処理装置とを接続するネットワークとを有する通信システムにおいて、
前記画像処理装置における送信指示に応じて、前記画像処理装置が原稿を読み取り、前記読み取った原稿画像データと前記コードレス子機が指定した送信先情報とを、前記通信装置に送信し、
前記通信装置は、受信した前記送信先情報に対応する送信先に、前記画像処理装置から受信した原稿画像データを送信することを特徴とする通信システム。
【請求項２】
コードレス電話機能とファクシミリ通信機能とを具備する通信装置と、少なくとも読取機能を具備する画像処理装置と、無線接続によって該通信装置との間で、制御信号と音声信号とを送受信するコードレス子機と、前記通信装置と前記画像処理装置とを接続するネットワークとを有する通信システムにおいて、
前記画像処理装置における送信指示に応じて、前記画像処理装置が原稿を読み取り、前記読み取った原稿画像データと前記コードレス子機が指定した送信先情報とを、受信する受信手段と；
前記送信先情報に対応する送信先に、前記画像処理装置から受信した原稿画像データを送信する送信手段と；
を有することを特徴とする通信システムにおける通信装置。
【請求項３】
請求項２において、
前記送信手段は、前記コードレス子機の通話中に、前記画像処理装置において送信指示が行われた場合、前記コードレス子機が通話している相手先へ、前記原稿画像データを送信することを特徴とする通信システムにおける通信装置。
【請求項４】
請求項２において、
前記送信手段は、前記コードレス子機が通話中に、前記画像処理装置において前記コードレス子機に対する送信指示が行われた場合、前記原稿画像データの送信を禁止することを特徴とする通信システムにおける通信装置。
【請求項５】
請求項２において、
送信指示に対応する通信管理情報または送信状況を、無線で前記コードレス子機に転送する転送手段を有することを特徴とする通信装置。
【請求項６】
請求項２において、
ファクシミリ送信が再送信待機状態であれば、送信先情報と前記原稿画像データとを、記憶する記憶手段を有することを特徴とする通信装置。
【請求項７】
コードレス電話機能とファクシミリ通信機能とを具備する通信装置と、少なくとも読取機能を具備する画像処理装置と、無線接続によって該通信装置との間で、制御信号と音声信号とを送受信するコードレス子機と、前記通信装置と前記画像処理装置とを接続するネットワークとを有する通信システムにおいて、
前記画像処理装置における送信指示に応じて、原稿を読み取ることを特徴とする通信システムにおける画像処理装置。
【請求項８】
請求項７において、
前記画像処理装置が読み取った原稿画像データを、前記通信装置に送信する送信手段を有することを特徴とする通信システムにおける画像処理装置。
【請求項９】
コードレス電話機能とファクシミリ通信機能とを具備する通信装置と、少なくとも読取機能を具備する画像処理装置と、無線接続によって該通信装置との間で、制御信号と音声信号とを送受信するコードレス子機と、前記通信装置と前記画像処理装置とを接続するネットワークとを有する通信システムの制御方法において、
前記画像処理装置における送信指示に応じて、前記画像処理装置が原稿を読み取り、前記読み取った原稿画像データと前記コードレス子機が指定した送信先情報とを、前記通信装置に送信し、
前記通信装置は、受信した前記送信先情報に対応する送信先相手に、前記画像処理装置から受信した原稿画像データを送信することを特徴とする通信システムの制御方法。
【請求項１０】
コードレス電話機能とファクシミリ通信機能とを具備する通信装置と、少なくとも読取機能を具備する画像処理装置と、無線接続によって該通信装置との間で、制御信号と音声信号とを送受信するコードレス子機と、前記通信装置と前記画像処理装置とを接続するネットワークとを有する通信システムの制御方法において、
前記画像処理装置における送信指示に応じて、前記画像処理装置が原稿を読み取る読み取り段階と；
前記読み取った原稿画像データと前記コードレス子機が指定した送信先情報とを、受信する受信段階と；
前記送信先情報に対応する送信先相手に、前記画像処理装置から受信した原稿画像データを送信する送信段階と；
を有することを特徴とする通信システムにおける通信装置の制御方法。
【請求項１１】
コードレス電話機能とファクシミリ通信機能とを具備する通信装置と、少なくとも読取機能を具備する画像処理装置と、無線接続によって該通信装置との間で、制御信号と音声信号とを送受信するコードレス子機と、前記通信装置と前記画像処理装置とを接続するネットワークとを有する通信システムの制御方法において、
前記画像処理装置における送信指示に応じて、原稿を読み取ることを特徴とする通信システムにおける画像処理装置の制御方法。
【請求項１２】
コードレス電話機能とファクシミリ通信機能とを具備する通信装置と、少なくとも読取機能を具備する画像処理装置と、無線接続によって該通信装置との間で、制御信号と音声信号とを送受信するコードレス子機と、前記通信装置と前記画像処理装置とを接続するネットワークとを有する通信システムの制御プログラムにおいて、
前記画像処理装置における送信指示に応じて、前記画像処理装置が原稿を読み取り、前記読み取った原稿画像データと前記コードレス子機が指定した送信先情報とを、前記通信装置に送信し、
受信した前記送信先情報に対応する送信先相手に、前記画像処理装置から受信した原稿画像データを、前記通信装置が送信する手順をコンピュータに実行させるプログラム。
【請求項１３】
コードレス電話機能とファクシミリ通信機能とを具備する通信装置と、少なくとも読取機能を具備する画像処理装置と、無線接続によって該通信装置との間で、制御信号と音声信号とを送受信するコードレス子機と、前記通信装置と前記画像処理装置とを接続するネットワークとを有する通信システムの制御プログラムにおいて、
前記画像処理装置における送信指示に応じて、前記画像処理装置が原稿を読み取る読み取り手順と；
前記読み取った原稿画像データと前記コードレス子機が指定した送信先情報とを、受信する受信手順と；
前記送信先情報に対応する送信先相手に、前記画像処理装置から受信した原稿画像データを送信する送信手順と；
をコンピュータに実行させるプログラム。
【請求項１４】
コードレス電話機能とファクシミリ通信機能とを具備する通信装置と、少なくとも読取機能を具備する画像処理装置と、無線接続によって該通信装置との間で、制御信号と音声信号とを送受信するコードレス子機と、前記通信装置と前記画像処理装置とを接続するネットワークとを有する通信システムの制御プログラムにおいて、
前記画像処理装置における送信指示に応じて、原稿を読み取る手順をコンピュータに実行させるプログラム。
【発明の詳細な説明】
【技術分野】
【０００１】
本発明は、通信装置と画像処理装置とがネットワークで接続されている通信システムにおいて、前記画像処理装置の読取部が読み取った画像を、前記通信装置を介して、任意の相手先にファクシミリ送信する通信システムに関する。
【背景技術】
【０００２】
主装置に接続されている端末装置が画像を読み取り、前記主装置を経由してファクシミリ送信する通信システムが提案されている（たとえば、特許文献１、特許文献２参照）。
【０００３】
特許文献１に記載されている通信システムは、蓄積装置に接続されている入力端末装置から、送信相手先情報と送信画像データとを蓄積装置に送信するシステムである。また、前記蓄積装置は、入力端末装置から受信した送信相手先情報に含まれている相手先に、画像データを送信する。
【０００４】
特許文献２に記載されている通信システムは、ネットワークで接続されている親機と子機とによって構成されている複写装置である。そして、子機に原稿をセットし、ファクシミリ送信処理指令を実行すると、子機が読み取った画像データが、親機を経由して、ファクシミリ送信指令に含まれる相手先にファクシミリ送信される。
【特許文献１】特開平６−２７６３４８号公報
【特許文献２】特開平８−２７９８６５号公報
【発明の開示】
【発明が解決しようとする課題】
【０００５】
一方、ファクシミリ機能付きコードレス電話装置が知られている。また、パーソナルコンピュータの周辺装置として、画像の読み取りを行うスキャナと、パーソナルコンピュータ内の画像データを記録するプリンタとを一体にまとめた画像処理装置（以下、「ＭＦＰ」という）が知られている。なお、「ＭＦＰ」は、Ｍｕｌｔｉ  Ｆｕｎｃｔｉｏｎ  Ｐｅｒｉｐｈｅｒａｌである。
【０００６】
ファクシミリ機能付きコードレス電話は、その電話機能として、コードレス電話機能、留守番電話機能、信頼性の高いファクシミリ／電話切替え機能があり、これらの機能は非常に優れた能力である。
【０００７】
しかし、ファクシミリ機能付きコードレス電話における画像読取機能、画像記録機能は、ファクシミリ通信を満足する程度の解像度や速度で足りる。一方、ＭＦＰは、年々高速高解像度化が進み、非常に優れた画像入力／画像記録能力を有し、ファクシミリ通信機能を有するＭＦＰも存在するが、その電話機能は、ファクシミリ機能付きコードレス電話には及ばない。
【０００８】
もちろん、ファクシミリ機能付きコードレス電話の読取部／記録部を、ＭＦＰ並にすることは、技術的には可能であるが、非常に高価で、筐体が大きくなるという問題がある。
【０００９】
前記従来例では、ＭＦＰの技術革新は非常に早いので、ユーザが高額の対価を払ってＭＦＰを購入しても、間もなく陳腐なものになるという問題がある。
【００１０】
また、前記従来例では、端末装置から、ファクシミリの送信宛先を指定しなければならず、そのためには、端末装置に、相手先指定手段や、送信宛先を登録するための記憶手段を設ける必要がある。このようにすると、端末装置のコストが上がり、また、ファクシミリ送信を使用しないユーザにとっては全く無駄な機能であるという問題がある。
【００１１】
本発明は、コードレス電話機能とファクシミリ通信機能とを具備する通信装置と、少なくとも読取機能を具備する画像処理装置と、無線接続によって該通信装置との間で、制御信号と音声信号とを送受信するコードレス子機とを有する。また、本発明は、前記通信装置と前記画像処理装置とを接続するネットワークを有する通信システムである。本発明は、このシステムにおいて、ファクシミリ機能付きコードレス電話装置とＭＦＰとの間で、機能の重複を排除することができ、各装置の構成をシンプルにしてコストダウンすることができ、また高機能である通信システムを提供することを目的とする。
【課題を解決するための手段】
【００１２】
本発明は、コードレス電話機能とファクシミリ通信機能とを具備する通信装置と、少なくとも読取機能を具備する画像処理装置と、無線接続によって該通信装置との間で、制御信号と音声信号とを送受信するコードレス子機と、前記通信装置と前記画像処理装置とを接続するネットワークとを有する通信システムにおいて、前記画像処理装置における送信指示に応じて、前記画像処理装置が原稿を読み取り、前記読み取った原稿画像データと前記コードレス子機が指定した送信先情報とを、前記通信装置に送信し、前記通信装置は、受信した前記送信先情報に対応する送信先に、前記画像処理装置から受信した原稿画像データを送信することを特徴とする。
【発明の効果】
【００１３】
本発明によれば、通信装置と画像処理装置とコードレス子機とネットワークとを有する通信システムにおいて、通信装置に読取部を設けなくても、外部の画像処理装置の読取部を利用してファクシミリ送信することができるという効果を奏する。
【００１４】
また、本発明によれば、ネットワークに複数の画像処理装置を接続する場合、通信装置に設けられている１つのファクシミリ通信機能によって、複数のファックス装置が存在するのと同様の結果を得ることができるという効果を奏する。
【発明を実施するための最良の形態】
【００１５】
発明を実施するための最良の形態は、次の実施例である。
【実施例１】
【００１６】
図１は、本発明の実施例１である通信システムＣＳ１の構成を示すブロック図である。
【００１７】
通信システムＣＳ１は、通信ＢＯＸ１００と、コードレス子機２００（２００−１、２００−２）と、ＭＦＰ３００（３００−１、３００−２）とを有する。また、通信システムＣＳ１は、ＤＨＣＰ機能を有するネットワークルータ４００と、一般的なＰＣ（パーソナルコンピュータ）５００と、ネットワークケーブル６００とを有する。
【００１８】
前記ネットワークは、ＩＥＥＥ８０２．３で規定されているネットワークによって接続されている。または、ＩＥＥＥ８０２．１１ａ／ｂ／ｇで規定されている無線ネットワークで接続するようにしてもよい。
【００１９】
コードレス子機２００は、無線によって通信ＢＯＸ１００と接続されている。
【００２０】
ＭＦＰ３００は、画像処理装置の一例であり、ネットワークに複数接続可能であり、図１には、２台のＭＦＰ３００−１、３００−２が設けられているが、３台以上のＭＦＰを接続するようにしてもよく、１台のＭＦＰ３００のみを接続するようにしてもよい。
【００２１】
図２は、実施例１における通信ＢＯＸ１００の構成を示すブロック図である。
【００２２】
通信ＢＯＸ１００は、通信装置の一例であり、コードレス子機２００とのやり取りを行う無線インタフェースと、ファクシミリ通信やコードレス子機２００による通話を行う公衆回線７００とのインタフェースとを有する。また、通信ＢＯＸ１００は、ネットワークによって接続されるＰＣ５００やＭＦＰ３００と通信を行うためのインタフェースとを有する。
【００２３】
つまり、通信ＢＯＸ１００は、制御部１０１と、ＲＯＭ１０２と、ＲＡＭ１０３と、バッファメモリ１０４と、符号復号化処理部１０５と、通信制御部１０６と、モデム１０７と、クロスポイントスイッチ部１０８とを有する。また、通信ＢＯＸ１００は、ＲＦモジュールを含む無線制御部１０９と、ネットワーク制御部１１０と、システムバス１１１と、アンテナ１１２と、電話帳メモリ１１３と、ＷＥＢページメモリ１１４とを有する。
【００２４】
制御部１０１は、ＲＯＭ１０２に記憶されているプログラムに従って、通信ＢＯＸ１００全体を制御する制御部である。
【００２５】
ＲＯＭ１０２は、制御部１０１の制御プログラムや、オペレーティングシステム（ＯＳ）プログラム等を格納し、制御部１０１は、前記格納されている制御プログラムに従って、通信ＢＯＸ１００の動作を制御する。
【００２６】
実施例１では、ＲＯＭ１０２に格納されている各制御プログラムは、ＲＯＭ１０２に格納されているＯＳプログラムの管理下で、スケジューリングやタスク切り替え等のソフトウエア制御が行われる。
【００２７】
ＲＡＭ１０３は、演算処理するデータ、オペレータが登録した設定値、装置の管理データ、通信ＢＯＸ１００をネットワークルータ４００に接続したときに取得するアドレス、ネットワークに接続されているＭＦＰ３００のアドレスを記憶する。
【００２８】
バッファメモリ１０４は、ネットワークを通じて受信した画像データ、データパケット、公衆回線７００を介して送受信されるファクシミリ画像データを蓄積する。また、バッファメモリ１０４は、コードレス子機２００からファクシミリ送信指示を受けたときに、同時にコードレス子機２００から送られてきた相手先ダイヤル番号情報を蓄積する。
【００２９】
符号復号化処理部１０５は、動作モードに応じてＭＦＰ３００から受信した画像データ、公衆回線７００から受信した画像データを、ＭＨ、ＭＲ、ＪＢＩＧ、ＪＰＥＧ等の圧縮伸張する符号復号化処理を行うものである。
【００３０】
通信制御部１０６は、公衆回線７００と通信ＢＯＸ１００とを接続するインタフェースであり、局交換機からの呼出信号を検出するリンガ検出回路と、ダイヤル生成回路と、２線−４線変換を行うトランス回路等によって構成されている。コードレス子機２００による通話の音声信号やファクシミリ通信の変調信号は、通信制御部１０６を通じて、公衆回線７００との間で送受信される。
【００３１】
モデム１０７は、ファクシミリ通信のためにデジタルデータを変復調するものである。
【００３２】
クロスポイントスイッチ部１０８は、制御部１０１による制御によって、通信制御部１０６を介して送受信されるアナログ信号を、動作モードに応じて、モデム１０７と、後述の無線制御部１０９との間で切り替える。
【００３３】
ＲＦモジュールを含む無線制御部１０９は、無線によって接続されたコードレス子機２００との間で通信を行うために、制御データと音声信号とを変調し、無線送信可能な形式に変換し、アンテナ１１２に送る。また、ＲＦモジュールを含む無線制御部１０９は、アンテナ１１２から無線受信した信号を復調し、制御データを制御部１０１に出力し、アナログ信号（音声信号）を、クロスポイントスイッチ部１０８に出力する。
【００３４】
コードレス子機２００が使用されると、通信ＢＯＸ１００とコードレス子機２００とが無線で接続され、音声パスが形成される。
【００３５】
ネットワーク制御部１１０は、ＩＥＥＥ８０２．３等によって規定されているネットワークでの通信制御を行うネットワーク制御部である。また、ネットワーク制御部１１０は、ネットワークに接続され、ＴＣＰ／ＩＰ等の規格に沿って、プロトコル制御を行い、ＭＦＰ３００からデータパケットを受信し、ＭＦＰ３００へデータパケットを送信する。さらに、ネットワーク制御部１１０は、データパケットを受信すると、制御部１０１に通知する。
【００３６】
電話帳メモリ１１３は、コードレス子機２００毎に登録されている通信相手先名称、電話番号、ファクシミリ番号等を記憶する。
【００３７】
システムバス１１１は、制御部１０１と各ブロックとを接続するバスである。
【００３８】
ＷＥＢページメモリ１１４は、コードレス子機２００の表示部２０７に表示するデータを格納するメモリであり、ＨＴＭＬ形式で記述された各種設定メニュー画面を記憶するメモリである。
【００３９】
ネットワークケーブル６００は、ネットワークルータ４００と接続するケーブルである。公衆回線７００は、これを通じて電話の通話やファクシミリ通信を行う。
【００４０】
図３は、実施例１におけるコードレス子機２００の構成を示すブロック図である。
【００４１】
コードレス子機２００は、制御部２０１と、ＲＯＭ２０２と、ＲＡＭ２０３と、ベースバンド部２０４と、無線制御部２０５と、アンテナ２０６と、表示部２０７と、操作部２０８と、スピーカ２０９とを有する。また、コードレス子機２００は、レシーバ２１０と、マイク２１１と、不揮発性メモリ２１２と、システムバス２１３とを有する。
【００４２】
制御部２０１は、コードレス子機２００の全体を制御する。
【００４３】
ＲＯＭ２０２は、制御部２０１の制御プログラムや、オペレーティングシステム（ＯＳ）プログラム等を格納し、制御部２０１は、ここに格納されている制御プログラムに従って、通信ＢＯＸ１００の動作を制御する。
【００４４】
ＲＡＭ２０３は、演算処理する画像データ、表示部２０７に表示する画像データ、通信ＢＯＸ１００から受信した電話帳データ等を記憶する。
【００４５】
操作部２０８は、ダイヤル番号等を入力するダイヤルキーや、通話キー、送信キー、電話帳キー等の機能キーを有する。
【００４６】
表示部２０７は、操作部２０８の操作に従って、各種設定画面や入力されたダイヤル番号、通信ＢＯＸ１００の動作状況等を表示する。
【００４７】
ベースバンド部２０４は、モデム・コンパンダ、秘話・アンプ機能を有し、制御データと音声信号とを、伝送効率のよい形式に変復調する。ベースバンド部２０４が出力した変調信号を、後述する無線制御部２０５を介して、通信ＢＯＸ１００に伝送する。また無線制御部２０５が出力した変調信号を復調し、制御信号は、制御部２０１に出力され、音声信号は、スピーカ２０９へ出力される。
【００４８】
無線制御部２０５は、ベースバンド部２０４が出力した変調信号を無線送信可能な形式に変換し、アンテナ２０６に送るとともに、アンテナ２０６が無線受信した信号から、変調信号を取り出し、ベースバンド部２０４に出力する。
【００４９】
マイク２１１は、通話音声信号の入力を行う。スピーカ２０９は、音声信号の拡声出力と着信音等を鳴動させる。レシーバ２１０は、通話音声信号を出力する。
【００５０】
不揮発性メモリ２１２は、コードレス子機２００と通信ＢＯＸ１００との間の無線通信を確立するためのシステムの呼出符号（システムＩＤ）、コードレス子機２００の子機番号ＩＤ等を記憶し、ＥＥＰＲＯＭ等で構成されている。システムバス２１３は、制御部と各ブロックとを接続するバスである。
【００５１】
図４は、ＭＦＰ３００の構成を示すブロック図である。
【００５２】
ＭＦＰ３００は、読取部３０７と記録部３０９とを有し、読取部３０７で読み取った画像データをネットワークに出力し、ネットワークから受信した画像データを記録部３０９が記録し、または読取部３０７が読み取った画像データを記録部３０９で記録する。
【００５３】
つまり、ＭＦＰ３００は、システム制御部３０１と、ＲＯＭ３０２と、ＲＡＭ３０３と、バッファメモリ３０４と、操作部３０５とを有する。また、ＭＦＰ３００は、読取処理部３０６と、読取部３０７と、記録処理部３０８と、記録部３０９と、表示部３１０と、符号復号化処理部３１１とを有する。
【００５４】
システム制御部３０１は、ＭＦＰ３００の全体を制御する。ＲＯＭ３０２は、制御部３０１の制御プログラムやオペレーティングシステム（ＯＳ）プログラム等を格納し、制御部３０１は、ここに格納されている制御プログラムに従って、ＭＦＰ３００の動作を制御する。
【００５５】
実施例１では、ＲＯＭ３０２に格納されている各制御プログラムは、ＲＯＭ３０２に格納されているＯＳプログラムの管理下で、スケジューリングやタスク切り替え等のソフトウエア制御を行う。
【００５６】
ＲＡＭ３０３は、演算処理するデータ、オペレータが登録した設定値、ＭＦＰ３００の管理データ等を記憶し、さらにはＭＦＰ３００をネットワークルータ４００に接続したときに取得するアドレスを記憶する。
【００５７】
バッファメモリ３０４は、読み取った画像データや受信した画像データを蓄積し、またネットワークを介して送受信されるデータパケットを蓄積する。
【００５８】
操作部３０５は、各種入力キーで構成され、オペレータによる各種入力操作を行う。表示部３１０は、ＬＥＤ、ＬＣＤ等で構成され、読み取りモードを設定するために表示し、各種設定を行うために表示し、ＭＦＰ３００の動作状況を表示する。
【００５９】
読取処理部３０６は、読取部３０７に設けられている光電変換素子が原稿を光学的に読み取り、電気的な画像データに変換した画像信号を、２値化処理、中間調処理等の各種画像処理を施し、高精細な画像データを出力する。読取処理部３０６は、ＲＯＭ３０２に格納されている制御プログラムのスキャン制御タスクプログラムによって制御される。読取部３０７は、ＣＣＤやコンタクトイメージセンサ等の光電変換素子によって構成されている。
【００６０】
記録処理部３０８は、記録部３０９が画像データを記録するために、記録画像データに、解像度変換処理やスムージング処理を行う。また、記録部３０９に紙無し、紙ジャム、トナー（またはインク）切れ等の障害が発生したときに、記録部３０９から障害情報を受け取り、制御部３０１に通知する。記録処理部３０８は、ＲＯＭ３０２に格納されている制御プログラムのプリンタ制御タスクプログラムによって制御される。
【００６１】
記録部３０９は、レーザビームプリンタやインクジェットプリンタ等で構成され、記録紙検知手段、トナー（またはインク）検知手段、ジャム検知手段を有している。
【００６２】
符号復号化処理部３１１は、動作モードに応じて、画像データを、ＭＨ、ＭＲ、ＪＢＩＧ、ＪＰＥＧ等の圧縮伸張する符号復号化処理を行う。
【００６３】
ネットワーク制御部３１２は、ＩＥＥＥ８０２．３等によって規定されたネットワークでの通信制御を行うネットワーク制御部である。つまり、ネットワーク制御部３１２は、ネットワークに接続され、ＴＣＰ／ＩＰ等の規格に沿ってプロトコル制御を行い、ＭＦＰ３００が取得したアドレスを宛先にして、データパケットを受信し、また、ＭＦＰ３００からデータパケットを送信する。
【００６４】
ネットワーク制御部３１２は、データパケットを受信すると、制御部３０１に通知する。システムバス３２３は、制御部３０１と各ブロックとを接続するバスである。
【００６５】
図５は、コードレス子機２００の外観を示す図である。
【００６６】
コードレス子機２００は、操作部２０８と表示部２０７とを有する。
【００６７】
操作部２０８は、ダイヤル番号等を入力するダイヤルキー、通話キー、通信キー、電話帳キー等の機能キーによって構成されている。表示部２０７は、入力されたダイヤル番号等を表示する。
【００６８】
次に、実施例１において、ファクシミリ送信する動作について説明する。
【００６９】
図６Ａ、図６Ｂ、図６Ｃ、図７、図８は、実施例１において、ファクシミリ送信時の動作と、コードレス子機２００による通話時における各装置の動作とを示すフローチャートである。
【００７０】
図６Ａは、コードレス子機２００における動作を示すフローチャートであり、図６Ｂは、通信ＢＯＸ１００における動作を示すフローチャートであり、図６Ｃは、ＭＦＰ３００における動作を示すフローチャートである。図７は、ファクシミリ送信動作を示すフローチャートであり、図８は、通話動作を示すフローチャートである。
【００７１】
まず、ユーザは、ファクシミリ送信するために、ＭＦＰ３００の読取部３０７の原稿台に、送信原稿をセットし、操作部３０５に設けられている画質選択ボタンを操作することによって、「はやい」または「きれい」の読み取りモードを選択する（Ｓ３１）。ここで、前記「はやい」の読み取りモードは、ＩＴＵ−Ｔ勧告におけるスタンダードモードに相当し、前記「きれい」の読み取りモードは、ＩＴＵ−Ｔ勧告におけるファインモードに相当する。
【００７２】
図示しない画質選択ボタンは、コピー時の画質選択の際にも用いられる。
【００７３】
次に、コードレス子機２００の操作部２０８に設けられているダイヤルキーによって、送信相手先の番号を入力し（Ｓ１）、送信キーを押下する（Ｓ２）。これによって、コードレス子機２００は、入力された相手先番号情報とファクシミリ送信指示情報とを、通信ＢＯＸ１００に送信する（Ｓ３）。
【００７４】
通信ＢＯＸ１００は、相手先番号情報とファクシミリ送信指示情報とを受信すると（Ｓ１１、Ｓ１２）、相手先番号情報を一旦、バッファメモリ１０４に記憶する（Ｓ１３）。そして、ネットワーク制御部３１２を通じて、ＭＦＰ３００に、読み取り開始命令を送信する（Ｓ１４）。
【００７５】
ＭＦＰ３００は、通信ＢＯＸ１００が出力した読み取り開始命令を、ネットワーク制御部３１２が受信すると（Ｓ３２）、操作部３０５で指示された読み取り解像度で、原稿の読み取りを行う（Ｓ３３）。そして、読み取った画像データを、順次、バッファメモリ３０４に蓄積する。
【００７６】
次に、バッファメモリ３０４に蓄積した画像データと、読み取りモード情報とを、ネットワーク制御部３１２を介して、通信ＢＯＸ１００に送る（Ｓ３４）。この動作を、原稿の読み取り終了まで繰り返す（Ｓ３５）。
【００７７】
通信ＢＯＸ１００は、ＭＦＰ３００からの画像データを受信すると（Ｓ１５）、受信したデータを一旦、バッファメモリ１０４に記憶した後に、順次、符号復号化部１０５に転送する。そして、ＭＦＰ３００によって指示された読み取りモード情報に従って、画像データを符号化し（Ｓ１６）、バッファメモリ１０４に、再度蓄積する。これと同時に、制御部１０１は、クロスポイントスイッチ部１０８をモデム１０７側に切り替え（Ｓ１７）、バッファメモリに一時記憶した相手先番号情報を読み出し（Ｓ１８）、制御部１０１が、公衆回線７００に発呼する（Ｓ１９）。
【００７８】
相手側ファクシミリ装置が応答すると、バッファメモリ１０４に蓄積した画像データを、モデム１０７が変調し、ＩＴＵ−ＴのＴ．３０勧告で標準化されたファクシミリ通信手順に則って相手先に送信する（Ｓ２０）。画像データの全てを送信し終わると（Ｓ２１）、通信ＢＯＸ１００は、公衆回線７００との接続を切断し、待機状態に戻る（Ｓ２２）。
【００７９】
次に、実施例１において通話する場合の動作について説明する。
【００８０】
通話する場合、コードレス子機２００の操作部２０８に設けられているダイヤルキーを操作し、相手先の番号を入力し（Ｓ１）、通話キーを押下する（Ｓ４）。通話キーが押下されると、コードレス子機２００は、入力された相手先番号情報と発呼指示情報とを、通信ＢＯＸ１００に送信する（Ｓ５）。
【００８１】
通信ＢＯＸ１００が、相手先番号情報と発呼指示情報とを受信すると（Ｓ１１、Ｓ１２）、制御部１０１は、クロスポイントスイッチ部１０８を無線制御部１０９側に切り替える（Ｓ２３）。コードレス子機２００から受信した相手先番号を、制御部１０１が発呼する（Ｓ２４）。相手先が応答すると、クロスポイントスイッチ部１０８と無線制御部１０９とを介して、コードレス子機２００による通話が可能になる（Ｓ２５、Ｓ６）。
【００８２】
通話が終了し、コードレス子機２００の切キーが押下されると（Ｓ７）、コードレス子機２００から通信ＢＯＸ１００に、切断指示情報が送信される（Ｓ８）。通信ＢＯＸ１００は、コードレス子機２００から切断指示情報を受信すると（Ｓ２６）、公衆回線７００との接続を切断し、待機状態に戻る（Ｓ２７）。
【００８３】
実施例１によれば、通信ＢＯＸ１００に読取部を設けなくても、外部のＭＦＰ３００の読取部を利用して、ファクシミリ送信することができる。
【００８４】
ネットワーク上に、ＭＦＰ３００が、複数、存在する場合、そのうちの１つのＭＦＰ３００を、ファクシミリ送信用に固定するようにしてもよい。または、コードレス子機２００に対応付けし、操作されたコードレス子機２００に応じて、原稿を読み取るＭＦＰ３００を決定するようにしてもよい。
【００８５】
実施例１は、プリンタ機能のうちの少なくとも一方を具備する画像処理装置と、無線接続によって前記通信装置との間で、制御信号と音声信号とを送受信するコードレス子機と、前記通信装置と前記画像処理装置とを接続するネットワークとを有する。
【００８６】
そして、実施例１によれば、ファクシミリ機能付きコードレス電話装置と、ＭＦＰとの間で、機能の重複を排除することができ、各装置の構成をシンプルにしてコストダウンすることができ、しかも高機能である。
【実施例２】
【００８７】
実施例１は、ファクシミリ送信を行う際、コードレス子機から送信指示を行う実施例であるが、実施例２は、ＭＦＰからファクシミリ送信の指示を行う第２の通信システムである。
【００８８】
第２の通信システムは、通信ＢＯＸ１００と、コードレス子機２００−１、２００−２と、ＭＦＰ３００−１、３００−２と、ルータ４００と、ＰＣ５００と、ネットワークケーブル６００と、公衆回線７００とを有する。
【００８９】
第２の通信システムを構成する通信ＢＯＸ１００と、コードレス子機２００−１、２００−２と、ＭＦＰ３００−１、３００−２と、ルータ４００と、ＰＣ５００と、ネットワークケーブル６００と、公衆回線７００とは、実施例１における各構成と同じである。よって、それぞれの詳細な構成の説明を省略する。ただし、図９に示すコードレス子機の外観のみが異なる。
【００９０】
図９は、コードレス子機１２００の外観を示す図である。
【００９１】
図９において、コードレス子機１２００は、図３に示すコードレス子機２００に相当し、表示部１２０７は、図３に示す表示部２０７に相当し、操作部１２０８は、図３に示す操作部２０８に相当する。
【００９２】
操作部１２０８は、ダイヤル番号等を入力するダイヤルキー、通話キー、電話帳キー等の機能キーによって構成されている。表示部１２０７は、入力されたダイヤル番号等を表示する。
【００９３】
次に、実施例２において、ファクシミリ送信する動作について説明する。
【００９４】
図１０Ａは、実施例２におけるＭＦＰ３００、通信ボックス１００、コードレス子機１２００のそれぞれの動作を示すフローチャートである。
【００９５】
図１０Ｂは、実施例２におけるファクシミリ送信動作を示すフローチャートである。
【００９６】
まず、ユーザは、ファクシミリ送信のために、ＭＦＰ３００の読取部３０７の原稿台に送信原稿をセットし、操作部３０５に含まれる画質選択ボタンによって「はやい」または「きれい」の読み取りモードを選択する（Ｓ４１）。ここで、前記「はやい」は、ＩＴＵ−Ｔ勧告におけるスタンダードモードに相当し、前記「きれい」は、ＩＴＵ−Ｔ勧告におけるファインモードに相当する。図示しない画質選択ボタンは、コピー時の画質選択の際にも用いられる。
【００９７】
次に、コードレス子機１２００の操作部１２０８に設けられているダイヤルキーによって、送信相手先の番号を入力する（Ｓ６１）。電話帳機能によって、送信相手先番号を指定するようにしてもよい。
【００９８】
次に、再度ＭＦＰ３００において、操作部３０５に設けられている送信開始ボタンを操作して、送信開始を指示する（Ｓ４２）。
【００９９】
ＭＦＰ３００は、操作部３０５で指示された読み取り解像度で、原稿を読み取り、読み取った画像データを、順次バッファメモリ３０４に蓄積する（Ｓ４３）。
【０１００】
次に、バッファメモリ３０４に蓄積した画像データと、読み取りモード情報とを、ネットワーク制御部３１２を介して、通信ＢＯＸ１００に送る（Ｓ４４）。
【０１０１】
前記操作を、原稿の読み取りを終了まで繰り返す（Ｓ４５）。
【０１０２】
ＭＦＰ３００から送られた画像データを、通信ＢＯＸ１００が受信すると（Ｓ５１、Ｓ５２）、受信したデータを一旦、バッファメモリ１０４に記憶した後に（Ｓ５３）、順次符号復号化部１０５に転送する。そして、ＭＦＰ３００から指示された読み取りモード情報に従って、画像データを符号化し、バッファメモリ１０４に再度蓄積する（Ｓ５４）。
【０１０３】
受信した全データの符号化を終了すると（Ｓ５５）、通信ＢＯＸ１００が、コードレス子機１２００に、送信相手先番号を要求する（Ｓ５６）。
【０１０４】
コードレス子機１２００は、通信ＢＯＸ１００から送信相手先番号の要求を受信すると、ユーザが入力した送信相手先の番号を、通信ＢＯＸ１００に返送する（Ｓ６２）。
【０１０５】
通信ＢＯＸ１００は、コードレス子機１２００から送信相手先の番号を受信すると、相手先番号情報を一旦、バッファメモリ１０４に記憶する（Ｓ５７）。
【０１０６】
その後、制御部１０１は、クロスポイントスイッチ部１０８を、モデム１０７側に切り替え、バッファメモリに一時記憶した相手先番号情報を読み出し、通信制御部１０６が、公衆回線７００に発呼する。そして、相手側ファクシミリ装置が応答すると、バッファメモリ１０４に蓄積した画像データを、モデム１０７が変調し、ＩＴＵ−ＴのＴ．３０勧告で標準化されたファクシミリ通信手順に則って相手先に送信する（Ｓ５８）。
【０１０７】
ファクシミリ送信の状況は、コードレス子機１２００の表示部１２０７に表示することが可能である（Ｓ６３）。表示する情報は、該当するファクシミリ送信の通信管理番号のみでもよく、また、詳細なファクシミリ送信状況を表示するようにしてもよい。
【０１０８】
全ての画像データを送信し終わると、通信ＢＯＸ１００は、公衆回線７００との接続を切断し、待機状態に戻る。
【０１０９】
コードレス子機１２００が複数、存在している場合、１つのコードレス子機１２００を送信用として固定してもよく（送信専用としてもよく）、また、ＭＦＰ３００の操作によってＭＦＰ３００と交信することができるコードレス子機を指定するようにしてもよい。
【０１１０】
また、コードレス子機１２００が通話中であるときに、ＭＦＰ３００に設けられているファクシミリ送信開始ボタンを押すと、コードレス子機１２００が通話中の相手先にファクシミリ送信を実行するようにしてもよい。
【０１１１】
さらに、コードレス子機１２００が通話中であるときに、ＭＦＰ３００に設けられているファクシミリ送信開始ボタンを押すと、ファクシミリ送信を禁止するようにしてもよい。
【０１１２】
そして、ファクシミリ送信が相手先のビジー等によって再送信待機状態になっている場合、送信相手先データと送信画像データとを、通信ＢＯＸ１００内に蓄積するようにしてもよい。
【０１１３】
実施例２によれば、コードレス電話機能、留守番電話機能、信頼性の高いファクシミリ／電話切替え機能等の高機能な電話機能を、通信ＢＯＸ１００が実現し、ファクシミリ送信時の原稿の読み取りは、高性能な読取部を有するＭＦＰ３００を利用できる。したがって、通信ＢＯＸ１００、ＭＦＰ３００のそれぞれの構成がシンプルであり、低コストで高機能な電話機能とパーソナルコンピュータための高性能な画像入出力機能とをユーザに提供することができる。
【０１１４】
また、実施例２によれば、まず、ＭＦＰ３００のみを購入し、必要になったときに、通信ＢＯＸ１００を追加購入するという購入形態を実現することができる。逆に、まず、通信ＢＯＸ１００のみを購入し、必要になったときに、ＭＦＰ３００を追加購入するという購入形態も実現することができる。
【０１１５】
さらに、実施例２によれば、ＭＦＰ３００のスキャナ機能、プリンタ機能が陳腐になったときに、ユーザは、ＭＦＰ３００だけを買い換えれば足りるので、進歩の早いＭＦＰ３００の買い替え時のユーザの経済的負担を軽くすることができる。
【０１１６】
また、実施例２によれば、ネットワークに複数のＭＦＰ３００を接続する場合、通信ＢＯＸ１００を経由することによって、各ＭＦＰ３００からファクシミリ送信が可能になる。したがって、通信ＢＯＸ１００に設けられている１つのファクシミリ通信機能によって、複数のファクシミリ装置が存在するのと同様の結果を得ることができる。
【実施例３】
【０１１７】
実施例１、２は、発呼を行う際、主に発呼時に相手先の電話番号の入力を行う実施例であるが、実施例３は、電話番号を電話帳に予め登録し、発呼時に電話帳から電話番号を呼び出す第３の通信システムである。
【０１１８】
第３の通信システムは、通信ＢＯＸ１００と、コードレス子機２００−１、２００−２と、ＭＦＰ３００−１、３００−２と、ルータ４００と、ＰＣ５００と、ネットワークケーブル６００と、公衆回線７００とを有する。第３の通信システムを構成する通信ＢＯＸ１００と、コードレス子機２００−１、２００−２と、ＭＦＰ３００−１、３００−２と、ルータ４００と、ＰＣ５００と、ネットワークケーブル６００と、公衆回線７００は、実施例１の各構成と同じである。よって、それぞれの詳細な構成の説明を省略する。ただし、図１１に示すコードレス子機の外観のみが異なる。
【０１１９】
図１１は、コードレス子機２２００の外観を示す図である。
【０１２０】
図１１において、コードレス子機２２００は、図３に示すコードレス子機２００に相当し、表示部２２０７は、図３に示す表示部２０７に相当し、操作部２２０８は、図３に示す操作部２０８に相当する。
【０１２１】
操作部２２０８は、ダイヤル番号等を入力するダイヤルキー、通話キー、通信キー、セットキー、電話帳キー等の機能キーによって構成されている。表示部２２０７は、入力されたダイヤル番号等を表示する。
【０１２２】
次に、実施例３の動作について説明する。
【０１２３】
図１２〜図１８、図２１〜２３は、実施例において、電話帳データからのファクシミリ送信、電話帳データからのコードレス子機２２００による通話、電話帳登録の動作を示すフローチャートである。
【０１２４】
まず、電話番号の電話帳登録動作について図１３、図１７、図１８、図２１を用いて説明する。
【０１２５】
図１３、図１８は、通信ＢＯＸ１００の動作を示すフローチャートである。
【０１２６】
図１７は、コードレス子機２２００の動作を示すフローチャートである。
【０１２７】
図２１は、電話番号の電話帳登録動作を示すフローチャートである。
【０１２８】
コードレス子機２２００の操作部２２０８に設けられているメニューキーを、ユーザが押下すると（Ｓ１３１）、コードレス子機２２００は、通信ＢＯＸ１００に、メニュー内容送信要求を送る（Ｓ１３２）。
【０１２９】
通信ＢＯＸ１００は、メニュー内容送信要求を受信すると（Ｓ９１）、受信したメニュー内容を、コードレス子機２２００に送信する（Ｓ９２）。コードレス子機２２００は、メニュー内容を受信し（Ｓ１３３）、表示部２２０７に表示する（Ｓ１３４）。表示されたメニュー内容の中から、ユーザが電話帳登録を選択し（Ｓ１３５）、セットキーを押下する（Ｓ１３６）。セットキーが押下されると、コードレス子機２２００は、通信ＢＯＸ１００に、電話帳登録画面送信要求を送信する（Ｓ１３７）。
【０１３０】
通信ＢＯＸ１００は、電話帳登録画面送信要求を受信すると（Ｓ１６１）、電話帳登録画面（名前）のデータを、コードレス子機２２００に送信する（Ｓ１６２）。コードレス子機２２００が、電話帳登録画面（名前）を受信し（Ｓ１３８）、表示部２２０７に表示する（Ｓ１３９）。コードレス子機２２００の操作部２２０８に設けられているテンキーを使用して、ユーザが、名前を入力し（Ｓ１４０）、セットキーを押下すると（Ｓ１４１）、入力した名前データが、通信ＢＯＸ１００に送信される（Ｓ１４２）。
【０１３１】
通信ＢＯＸ１００は、名前データを受信すると（Ｓ１６３）、名前データをバッファメモリ１０４に一時保存し（Ｓ１６４）、コードレス子機２２００に、電話帳登録画面（電話番号）のデータを送信する（Ｓ１６５）。コードレス子機２２００は、電話帳登録画面（電話番号）を受信し（Ｓ１４３）、表示部２２０７に表示する（Ｓ１４４）。
【０１３２】
コードレス子機２２００の操作部２２０８に設けられているテンキーを使用して、ユーザが、電話番号を入力し（Ｓ１４５）、セットキーを押下し（Ｓ１４６）、入力された電話番号データが、通信ＢＯＸ１００に送信される（Ｓ１４７）。
【０１３３】
通信ＢＯＸ１００は、電話番号データを受信すると（Ｓ１６６）、受信した電話番号データを、バッファメモリに一時保存し（Ｓ１６７）、コードレス子機２２００に、電話帳登録画面（ファクシミリ番号）のデータを送信する（Ｓ１６８）。
【０１３４】
コードレス子機２２００は、電話帳登録画面（ファクシミリ番号）を受信し（Ｓ１４８）、表示部２２０７に表示する（Ｓ１４９）。コードレス子機２２００の操作部２２０８に設けられているテンキーを使用し、ユーザがファクシミリ番号を入力し（Ｓ１５０）、セットキーを押下し（Ｓ１５１）、入力したファクシミリ番号データが通信ＢＯＸ１００に送信される（Ｓ１５２）。
【０１３５】
通信ＢＯＸ１００は、ファクシミリ番号データを受信すると（Ｓ１６９）、ファクシミリ番号データをバッファメモリに一時保存する（Ｓ１７０）。そして、電話番号データ、ファクシミリ番号データの少なくとも一方を、コードレス電話固有のエリアに登録にするか、共有のエリアに登録するかの選択を促す電話帳データ登録エリア選択画面のデータを、コードレス子機２２００に送信する（Ｓ１７１）。
【０１３６】
コードレス子機２２００は、電話帳データ登録エリア選択画面を受信し（Ｓ１５３）、表示部２２０７に表示し（Ｓ１５４）、電話番号データ、ファクシミリ番号データの少なくとも一方を、固有エリアに登録する。または、共有エリアに登録するかを、ユーザが選択する（Ｓ１５５）。
【０１３７】
通信ＢＯＸ１００は、電話番号データ、ファクシミリ番号データの少なくとも一方を、コードレス子機２２００の固有エリアに登録する要求を受信する（Ｓ１７２）。これによって、バッファメモリに保存してある名前データ、電話番号データ、ファクシミリ番号データを関連させ、そのデータに、コードレス子機２２００の情報を含めて、電話帳メモリに登録する（Ｓ１７３）。
【０１３８】
通信ＢＯＸ１００は、電話番号データ、ファクシミリ番号データの少なくとも一方を、共有エリアに登録する要求を受信する（Ｓ１７４）。これによって、バッファメモリに保存してある名前データ、電話番号データ、ファクシミリ番号データを関連させ、電話帳メモリに登録する（Ｓ１７５）。バッファメモリに保存してある名前データ、電話番号データ、ファクシミリ番号データを、バッファメモリに保存しておく必要がなくなったので、バッファメモリからクリアする（Ｓ１７６）。そして、再び、電話帳登録画面（名前）を送信する（Ｓ１７７）。
【０１３９】
コードレス子機２２００は、電話帳登録画面（名前）を受信し（Ｓ１５６）、表示部２２０７に表示する（Ｓ１５７）。電話帳登録を継続するかどうかを、ユーザが選択する（Ｓ１５８）。電話帳登録動作を継続する場合は、ステップＳ１４０に戻る。電話帳登録動作を終了する場合は、ユーザが切キーを押下したことにより終了する。
【０１４０】
一方、通信ＢＯＸ１００は、電話帳登録動作を継続する場合は、ステップＳ１６３に戻る。電話帳登録動作を終了する場合は、終了する情報を受信し（Ｓ１７９）、終了する。
【０１４１】
次に電話帳から電話番号を呼び出して発呼を行う発呼動作について説明する。
【０１４２】
図１２は、コードレス子機２２００における動作を示すフローチャートである。
【０１４３】
図１４、図１５は、通信ＢＯＸ１００における動作を示すフローチャートである。
【０１４４】
図１６は、ＭＦＰ３００における動作を示すフローチャートである。
【０１４５】
図２２は、電話帳データからのファクシミリ送信動作を示すフローチャートである。
【０１４６】
図２３は、電話帳データからのコードレス子機２２００による通話動作を示すフローチャートである。
【０１４７】
まず、ユーザは、ファクシミリ送信するために、ＭＦＰ３００の読取部３０７に設けられている原稿台に、送信原稿をセットし、操作部３０５に設けられている画質選択ボタンを操作して、「はやい」または「きれい」の読み取りモードを選択する（Ｓ１２１）。ここで、前記「はやい」は、ＩＴＵ−Ｔ勧告におけるスタンダードモードに相当し、前記「きれい」は、ＩＴＵ−Ｔ勧告におけるファインモードに相当する。前記画質選択ボタンは、コピー時に画質選択する際にも用いられる。
【０１４８】
次に、コードレス子機２２００の操作部２２０８に設けられている電話帳キーを押下すると（Ｓ７１）、コードレス子機２２００が、通信ＢＯＸ１００に電話帳データ送信要求を送る（Ｓ７２）。
【０１４９】
通信ＢＯＸ１００は、電話帳送信要求を受信すると（Ｓ９３）、対応する子機の固有電話帳データと共有電話帳データの名前データを、コードレス子機２２００に送信する（Ｓ９４）。コードレス子機２２００は、電話帳データを受信し（Ｓ７３）、この受信した電話帳データを表示部２２０７に表示する（Ｓ７４）。
【０１５０】
ユーザは、この表示されている電話帳データから相手先を選択する（Ｓ７５）。つまり、コードレス子機２２００の操作部２２０８に設けられている通信キーを押下することによって相手先を選択すると（Ｓ７６）、この選択された相手先情報とファクシミリ送信指示情報とを、通信ＢＯＸ１００に送信する（Ｓ７７）。
【０１５１】
通信ＢＯＸ１００は、選択された相手先情報と、ファクシミリ送信指示情報とを受信すると（Ｓ１０１、Ｓ１０２）、電話帳メモリから、相手先のファクシミリ番号を呼び出す（Ｓ１０３）。そして、呼び出したファクシミリ番号を、バッファメモリ１０４に記憶し（Ｓ１０４）、ネットワーク制御部３１２を通じて、読み取り開始命令を、ＭＦＰ３００に送信する（Ｓ１０５）。
【０１５２】
ＭＦＰ３００は、通信ＢＯＸ１００から読み取り開始命令を、ネットワーク制御部３１２が受信する（Ｓ１２２）。そして、操作部３０５を介してユーザが指示した読み取り解像度で、原稿を読み取り（Ｓ１２３）、読み取った画像データを、バッファメモリ３０４に順次、蓄積する。
【０１５３】
次に、バッファメモリ３０４に蓄積した画像データと、読み取りモード情報とを、ネットワーク制御部３１２を介して、通信ＢＯＸ１００に送る（Ｓ１２４）。前記操作を、原稿の読み取り終了まで繰り返す（Ｓ１２５）。
【０１５４】
通信ＢＯＸ１００は、ＭＦＰ３００から画像データを受信する（Ｓ１０６）。そして、受信したデータをバッファメモリ１０４に、一旦、記憶した後に、符号復号化部１０５に順次、転送し、ＭＦＰ３００から指示された読み取りモード情報に従って、画像データを符号化し（Ｓ１０７）、バッファメモリ１０４に再度蓄積する。
【０１５５】
同時に、制御部１０１は、クロスポイントスイッチ部１０８を、モデム１０７側に切り替え（Ｓ１０８）、バッファメモリに一時記憶したファクシミリ番号を読み出し（Ｓ１０９）、通信制御部１０６が、公衆回線７００に発呼する（Ｓ１１０）。相手側ファクシミリ装置が応答すると、バッファメモリ１０４に蓄積した画像データを、モデム１０７が変調し、ＩＴＵ−ＴのＴ．３０勧告で標準化されたファクシミリ通信手順に則って相手先に送信する（Ｓ１１１）。全ての画像データを送信し終わると（Ｓ１１２）、通信ＢＯＸ１００は、公衆回線７００との接続を切断し、待機状態に戻る（Ｓ１１３）。
【０１５６】
次に、実施例３における通話の動作について説明する。
【０１５７】
通話する場合、コードレス子機２２００の操作部２２０８に設けられている電話帳キーを、ユーザが押下し（Ｓ７１）、これによって、コードレス子機２２００は、通信ＢＯＸ１００に電話帳データ送信要求を送る（Ｓ７２）。通信ＢＯＸ１００は、電話帳送信要求を受信する（Ｓ９３）と、対応する子機の固有電話帳データと共有電話帳データの名前データを、コードレス子機２２００に送信する（Ｓ９４）。コードレス子機２２００が電話帳データを受信し（Ｓ７３）、表示部２２０７に表示する（Ｓ７４）。
【０１５８】
表示された電話帳データの中から、ユーザが相手先を選択する（Ｓ７５）。つまり、コードレス子機２２００の操作部２２０８に設けられている通話キーを、ユーザが押下すると（Ｓ７８）、コードレス子機２２００は、通信ＢＯＸ１００に対して、選択された相手先情報と通話指示情報とを、通信ＢＯＸ１００に送信する（Ｓ７９）。
【０１５９】
通信ＢＯＸ１００は、選択された相手先情報と通話指示情報とを受信すると（Ｓ１０１、Ｓ１０２）、電話帳メモリから相手先の電話番号を呼び出す（Ｓ１１４）。そして、制御部１０１は、クロスポイントスイッチ部１０８を、無線制御部１０９側に切り替え（Ｓ１１５）、電話帳メモリから呼び出した電話番号を、通信制御部１０６が発呼する（Ｓ１１６）。相手先が応答すると、クロスポイントスイッチ部１０８と無線制御部１０９とを介して、コードレス子機２２００による通話が可能になる（Ｓ１１７、Ｓ８０）。
【０１６０】
一方、通話が終了し、コードレス子機２２００の切キーが押下されると（Ｓ８１）、コードレス子機２２００から通信ＢＯＸ１００に、切断指示情報が送信される（Ｓ８２）。
【０１６１】
通信ＢＯＸ１００は、コードレス子機２２００から切断指示情報を受信すると（Ｓ１１８）、公衆回線７００との接続を切断し、待機状態に戻る（Ｓ１１９）。
【０１６２】
実施例３によれば、通信ＢＯＸ１００に読取部を設けなくても、外部のＭＦＰ３００の読取部を利用してファクシミリ送信することができる。
【０１６３】
また、実施例３によれば、通信ＢＯＸ１００内で、電話帳データを管理するので、コードレス子機２２００が電話帳データを持っていなくても、電話帳データを使用することができる。また、コードレス子機２２００が電話帳データを持たないことによって、コードレス子機２２００内のメモリ容量を少なくすることができ、さらに、どのコードレス子機からでも電話帳データを使用することができる。
【０１６４】
実施例３においては、電話帳の固有エリアに電話帳データを登録する場合、使用しているコードレス子機に対応する固有エリアに登録する例を示したが、他のコードレス子機に対応する固有エリアに登録させてもよい。登録する際に、所望のコードレス子機が見つからない場合も登録が可能となる。また、固有エリアをコードレス子機に対応させるのではなく、使用者に対応させてもよい。この場合は、使用者の認証をさせれば、どのコードレス子機を使用しても、使用者固有の電話帳を呼び出すことができる。
【０１６５】
実施例３において、ネットワーク上に、ＭＦＰ３００が、複数、存在する場合、１つのＭＦＰ３００をファクシミリ送信用に固定してもよい。または、コードレス子機２２００とＭＦＰ３００とを対応付け、操作されたコードレス子機２２００に対応するＭＦＰ３００に原稿の読み取りを行わせるようにしてもよい。
【０１６６】
実施例３によれば、コードレス電話機能、留守番電話機能、信頼性の高いファクシミリ／電話切替え機能等の高機能な電話機能を、通信ＢＯＸ１００によって実現することができる。そして、ファクシミリ送信時の原稿の読み取りを、高性能な読取部を有するＭＦＰ３００を利用して実現できるので、通信ＢＯＸ１００、ＭＦＰ３００のそれぞれの構成がシンプルである。さらに、低コストで高機能な電話機能とパーソナルコンピュータための高性能な画像入出力機能とを、ユーザに提供することができる。
【０１６７】
また、実施例３によれば、ＭＦＰ３００のスキャナ機能、プリンタ機能が陳腐になったときに、ユーザは、ＭＦＰ３００だけを買い換えれば足りるので、進歩の早いＭＦＰ３００を買い替えするユーザの経済的負担を軽くすることができる。
【０１６８】
さらに、実施例３によれば、ネットワークに複数のＭＦＰ３００を接続した場合、通信ＢＯＸ１００を経由することによって、各ＭＦＰ３００からファクシミリ送信が可能になる。したがって、通信ＢＯＸ１００に設けられている１つのファクシミリ通信機能によって、複数のファクシミリ装置が存在していると同じ結果を得ることができる。
【０１６９】
また、実施例３によれば、通信ＢＯＸ１００が、電話帳データを一元管理するので、コードレス子機２２００内のメモリ容量を少なくすることができる。また、複数のコードレス子機１２００のうちのどのコードレス子機２２００からでも、登録されている電話帳データを参照できるので、近くにあるコードレス子機２２００を使用して、電話帳データに基づく発呼発信をすることができる。
【０１７０】
すなわち、実施例３は、コードレス電話機能とファクシミリ通信機能とを具備する通信装置と、少なくとも読取機能を具備する画像処理装置と、無線接続によって該通信装置との間で、制御信号と音声信号とを送受信するコードレス子機とを有する。また、実施例３は、前記通信装置と前記画像処理装置とを接続するネットワークとを有する通信システムにおいて、電話帳データを記憶する記憶手段と、前記記憶されている電話帳データを一元管理する一元管理手段とを有する通信装置の例である。
【０１７１】
また、実施例３は、コードレス電話機能とファクシミリ通信機能とを具備する通信装置と、少なくとも読取機能を具備する画像処理装置と、無線接続によって該通信装置との間で、制御信号と音声信号とを送受信するコードレス子機とを有する。また、実施例３は、前記通信装置と前記画像処理装置と、コードレス子機固有の電話帳データを記憶するコードレス子機用固有エリアとを接続するネットワークとを有する通信システムである。また、実施例３は、所定のコードレス子機に対応する前記コードレス子機用固有エリアに、前記所定のコードレス子機用電話帳データを登録する登録手段を有する通信装置の例である。
【０１７２】
さらに、実施例３は、コードレス電話機能とファクシミリ通信機能とを具備する通信装置と、少なくとも読取機能を具備する画像処理装置と、無線接続によって該通信装置との間で、制御信号と音声信号とを送受信するコードレス子機とを有する。また、実施例３は、前記通信装置と前記画像処理装置とを接続するネットワークとを有する通信システムである。また、実施例３は、コードレス子機を使用する使用者固有の電話帳データを記憶する使用者用固有エリアと、所定の使用者に対応する前記使用者用固有エリアに、前記使用者固有の電話帳データを登録する登録手段とを有する。また、実施例３は、使用者を認証する使用者認証手段と、前記使用者認証手段が使用者を認証すると、前記認証された使用者に対応する前記使用者用固有エリアに登録されている電話帳を呼び出す電話帳呼出手段とを有する通信装置の例である。
【０１７３】
そして、実施例３は、コードレス電話機能とファクシミリ通信機能とを具備する通信装置と、少なくとも読取機能を具備する画像処理装置と、無線接続によって該通信装置との間で、制御信号と音声信号とを送受信するコードレス子機とを有する。また、実施例３は、前記通信装置と前記画像処理装置とを接続するネットワークとを有する通信システムである。また、実施例３は、電話番号データまたはファクシミリ番号データを受信する番号データ受信手段と、前記受信した電話番号データまたはファクシミリ番号データを一時保存するバッファメモリとを有する。実施例３は、電話番号データ、ファクシミリ番号データの少なくとも一方を、所定のコードレス子機固有の固有エリアに登録にするか、コードレス子機を特定しない共有エリアに登録するかの選択を、コードレス子機に促す手段を有する通信装置の例である。
【０１７４】
電話番号データまたはファクシミリ番号データを固有エリアに登録する要求をコードレス子機から受信すると、バッファメモリに保存されている電話番号データまたはファクシミリ番号データと名前データとコードレス子機の情報とを固有エリアに登録する。
【０１７５】
電話番号データまたはファクシミリ番号データを、共有エリアに登録する要求をコードレス子機から受信すると、バッファメモリに保存されている電話番号データまたはファクシミリ番号データと、名前データとを、共有エリアに登録する手段を有する。
【０１７６】
実施例３を方法の発明として把握することができる。つまり、実施例３は、電話帳データを記憶する記憶段階と、前記記憶されている電話帳データを一元管理する一元管理段階とを有することを特徴とする通信装置の制御方法の例である。
【０１７７】
また、実施例３は、所定のコードレス子機に対応するコードレス子機用固有登録エリアに、前記所定のコードレス子機用の電話帳データを登録する登録段階を有することを特徴とする通信装置の制御方法の例である。
【０１７８】
さらに、実施例３は、所定の使用者に対応する使用者用固有登録エリアに、前記所定の使用者固有の電話帳データを登録する登録段階を有する。また、実施例３は、使用者を認定する使用者認証段階と、前記使用者認証段階で使用者を認証すると、前記認証された使用者に対応する前記使用者用固有登録エリアに登録されている電話帳データを呼び出す電話帳データ呼出段階とを有する例である。
【０１７９】
そして、実施例３は、電話番号データまたはファクシミリ番号データを受信する番号データ受信段階と、前記受信した電話番号データまたはファクシミリ番号データをバッファメモリに一時保存する一時保存段階を有する。また、実施例３は、電話番号データ、ファクシミリ番号データの少なくとも一方を、所定のコードレス子機固有の固有登録エリアに登録にするか、コードレス子機を特定しない共有登録エリアに登録するかの選択を、コードレス子機に促す段階を有する。
【実施例４】
【０１８０】
実施例４は、コードレス子機とＭＦＰとの対応についての実施例である。
【０１８１】
第４の通信システムは、通信ＢＯＸ１００と、コードレス子機２００−１、２００−２と、ＭＦＰ３００−１、３００−２と、ルータ４００と、ＰＣ５００と、ネットワークケーブル６００と、公衆回線７００とを有する。
【０１８２】
第４の通信システムを構成する通信ＢＯＸ１００と、コードレス子機２００−１、２００−２と、ＭＦＰ３００−１、３００−２と、ルータ４００と、ＰＣ５００と、ネットワークケーブル６００と、公衆回線７００は、実施例１における各構成と同じである。よって、それぞれの詳細な構成の説明を省略する。ただし、図１１に示すコードレス子機の外観のみが異なる。
【０１８３】
なお、コードレス子機２００の代わりに、コードレス子機１２００、２２００を使用するようにしてもよい。
【０１８４】
次に、実施例４の動作について説明する。
【０１８５】
ネットワーク上に、ＭＦＰ３００が、複数、存在する場合、ＭＦＰ３００とコードレス子機２００と対応付け、操作されたコードレス子機２００に対応するＭＦＰ３００に原稿の読み取りをおこなわせるようにしてもよい。また、１つのＭＦＰ３００をファクシミリ送信専用にしてもよい。
【０１８６】
次に、実施例４において、コードレス子機２００とＭＦＰ３００とを対応付ける場合における子機登録の動作について説明する。
【０１８７】
具体的には、コードレス子機２００−１とＭＦＰ３００−１とを関連付けて登録する場合について説明する。
【０１８８】
初期状態では、コードレス子機２００（２００−１、２００−２）は、無線によって通信ＢＯＸ１００と接続されているのみであり、ネットワークに接続されているＭＦＰ３００とは関連付けされていない。
【０１８９】
ＤＨＣＰ機能を有するネットワークルータ４００によって、ＭＦＰ３００−１をネットワークに接続した時点で、プラグアンドプレイが実現される。
【０１９０】
つまり、ＤＨＣＰ機能を有するネットワークルータ４００によって、ネットワークにＭＦＰ３００を物理的に接続すれば、ＴＣＰ／ＩＰ等、通信に必要な設定が、自動的に行われる。ここで、ＭＦＰ３００−１のＩＰアドレスが決定される。
【０１９１】
そして、ＤＨＣＰ機能を有するネットワークルータ４００で配布されたＩＰアドレスに基づいて、アドレス解決を行いたい通信ＢＯＸ１００は、接続したＭＦＰ３００−１のＭＡＣアドレスを知ることができる。この場合の手段として、たとえばＡＲＰ（Ａｄｄｒｅｓｓ  Ｒｅｓｏｌｕｔｉｏｎ  Ｐｒｏｔｏｃｏｌ）がある。
【０１９２】
前記ＡＲＰでは、ＩＰアドレスからＭＡＣアドレスを知るというアドレス解決を望む通信ＢＯＸ１００が、相手先に「このＩＰアドレスをもつＭＦＰ３００−１は、ＭＡＣを返して下さい」というブロードキャストパケットというパケットを、ＬＡＮ内全体に送る。そして、ＡＲＰブロードキャストを行う。
【０１９３】
その後、ＬＡＮ内に存在している全てのＭＦＰ３００が、ブロードキャストパケットを受信し、そのＩＰアドレスを持たない無関係のＭＦＰ３００は、そのパケットを破棄する。最終的に、特定のＩＰアドレスを持つＭＦＰ３００が見つかった場合、そのＭＦＰ３００との間で、１対１でユニキャストを行い、通信が確立する。なお、そこでの詳細なやりとりは、前記実施例とは直接な関係がないので、その説明を割愛する。
【０１９４】
なお、ＲＡＲＰ（Ｒｅｖｅｒｓｅ  Ａｄｄｒｅｓｓ  Ｒｅｓｏｌｕｔｉｏｎ  Ｐｒｏｔｏｃｏｌ）という別の手段によって、ＩＰアドレスとＭＡＣアドレスとの関係を決定するようにしてもよい。
【０１９５】
図１９は、実施例４におけるＭＡＣアドレスの参考フォーマットを示す図である。
【０１９６】
ＭＡＣアドレスの形式は、４８ビットのコードであり、２４ビットのベンダーコードと２４ビットのノード番号（製造メーカによって管理・提供されている他の機器と重複しない管理コード）との４８ビットで構成されている。
【０１９７】
図１９に示すフォーマットは、３〜２４ビットは、ベンダ識別子と呼ばれ、製造メーカ毎に特定の数字が割り当てられ、２５〜４８ビットは、メーカが製造したネットワークインタフェース毎に違う数字を割り当てられた構造である。
【０１９８】
実施例４によれば、通信ＢＯＸ１００のネットワーク制御部１１０は、接続されているＭＦＰ３００−１のＭＡＣアドレスのベンダ識別子部分に基づいて、メーカを割り出すことができる。
【０１９９】
そして、接続された装置が、ＭＦＰ３００であると認識することができる。
【０２００】
そして、コードレス子機２００−１にそのメーカデータの送信を行うことによって、コードレス子機２００では、ＬＡＮ上における所定のメーカの接続された製品のみを表示させることができる。
【０２０１】
図２０は、実施例４において、コードレス子機２００とＭＦＰ３００とを対応付けるときに、表示部２０７が表示する例を示す図である。
【０２０２】
操作部２０８の各キーを押下することによって、複数のＭＦＰ３００の中から、所望のＭＦＰ３００を選択し、決定する。
【０２０３】
図２０（１）は、実施例４におけるコードレス子機２００とＭＦＰ３００との対応付け画面を示す図である。
【０２０４】
図２０（２）は、実施例４において、現在利用することができるＭＦＰ３００の一覧を示す画面であり、図２０（１）を表示した後に選択される画面である。ここでは、前記ＭＡＣアドレスのベンダ識別子部分からメーカを割り出し、Ａ社製のＭＦＰ製品のみを表示している。もちろん、他社製のＭＦＰを表示するようにしてもよい。
【０２０５】
また、ＭＡＣアドレスのノード番号から、その製品がスキャナ／プリンタであること、スキャナ／プリンタの性能を表示するようにしてもよい。
【０２０６】
図２０（３）は、実施例４における決定画面であり、図２０（２）を表示した後に表示される画面である。
【０２０７】
ここで、現在使用している子機２００−１を、ＭＦＰ３００−１に対応付けする決定を行う。
【０２０８】
子機２００−１とＭＦＰ３００−１との対応付けを、通信ＢＯＸ１００が記憶する。つまり、通信ＢＯＸ１００のＲＡＭ１０３が、子機２００−１とＭＦＰ３００−１との対応付けを記録する。具体的には、オペレータが登録した設定値、通信ＢＯＸ１００の管理データ等、通信ＢＯＸ１００をネットワークルータ４００に接続したときに取得するアドレスを記憶し、演算処理等を行う。また、ネットワークに接続されているＭＦＰ３００のアドレス、ＭＦＰ３００と子機２００との対応付けを記憶し、演算処理等を行う。
【０２０９】
また、通信ＢＯＸ１００の電話帳メモリ１１３は、コードレス子機２００毎に登録されている通信相手先名称、電話番号、ファクシミリ番号等を記憶する。
【０２１０】
コードレス子機２００−１で登録された電話帳データは、通信ＢＯＸ１００の電話帳メモリ１１３において、コードレス子機２００毎に記憶される。そして、ＭＦＰ３００−１からファクシミリ送受信を行う場合、通信ＢＯＸ１００の電話帳メモリ１１３を参照することによって、コードレス子機２００−１の電話帳データを使用することができる。
【０２１１】
また、前記対応付けした以降は、コードレス子機２００からＭＦＰ３００に操作する場合、子機２００からの指示内容を、通信ＢＯＸ１００が受け、通信ＢＯＸ１００は、受け取った内容に基づいて、対応付けられているＭＦＰ３００に所定の指示を発行する。
【０２１２】
たとえば、コードレス子機２００−１からＭＦＰ３００−１にファクシミリ送信を指示する場合について説明する。
【０２１３】
コードレス子機２００−１は、通信ＢＯＸ１００に、入力した相手先番号情報やファクシミリ送信指示情報を送信する。通信ＢＯＸ１００は、相手先番号情報、ファクシミリ送信指示情報等を受信すると、相手先番号情報を一旦、通信ＢＯＸ１００のバッファメモリ１０４に記憶し、ネットワーク制御部１１０を通じて、読み取り開始命令を、ＭＦＰ３００−１に送信する。
【０２１４】
実施例４によれば、従来のファクシミリ付き電話における親機と子機とにおける１対１の対応のように扱うことができ、同様の操作性を維持しつつ、ファクシミリ送信／受信を実現することができる。
【０２１５】
また、実施例４によれば、対応付けする場合、子機２００とＭＦＰ３００とが、１対１で通信するユニキャストだけではなく、子機２００とＭＦＰ３００とが、１対特定多数で通信するマルチキャストも可能である。
【０２１６】
実施例４によれば、コードレス電話機能、留守番電話機能、信頼性の高いファクシミリ／電話切替え機能等の高機能な電話機能を、通信ＢＯＸ１００によって実現することができる。そして、ファクシミリ送信時の原稿の読み取りを、高性能な読取部を有するＭＦＰ３００を利用して実現できる。したがって、通信ＢＯＸ１００、ＭＦＰ３００のそれぞれの構成がシンプルであり、低コストで高機能な電話機能とパーソナルコンピュータための高性能な画像入出力機能とを、ユーザに提供することができる。
【０２１７】
また、実施例４によれば、ＭＦＰ３００のスキャナ機能、プリンタ機能が陳腐になったときに、ユーザは、ＭＦＰ３００だけを買い換えれば足りるので、進歩の早いＭＦＰ３００を買い替えするユーザの経済的負担を軽くすることができる。
【０２１８】
さらに、実施例４によれば、ネットワークに複数のＭＦＰ３００を接続した場合、通信ＢＯＸ１００を経由することによって、各ＭＦＰ３００からファクシミリ送信が可能になる。したがって、通信ＢＯＸ１００に設けられている１つのファクシミリ通信機能によって、複数のファクシミリ装置が存在していると同じ結果を得ることができる。
【０２１９】
また、実施例４によれば、複数の子機２００が存在する場合、ＭＦＰ３００と対応付けするので、従来のファクシミリ付き電話における親機と子機とが１対１で対応しているのと同様に扱うことができる。そして、同様の操作性で、ファクシミリ送信／受信を実現することができ、また電話帳データについても対応付けすることができる。
【０２２０】
実施例４において、画像処理装置が、公衆回線に送信のみ実行する装置、公衆回線に受信のみを実行する装置、公衆回線に送信と受信とを実行する装置、公衆回線に送信も受信も実行しない装置のうちのいずれであるかを、前記画像処理装置に登録する。
【０２２１】
ところで、コードレス子機２００は、画像処理装置に、原稿読取を指示する手段の例である。ネットワーク制御部１１０は、コードレス子機が出力した原稿読取指示信号に基づいて画像処理装置が読み取った原稿読取信号を受信する受信手段の例である。バッファメモリ１０４は、画像処理装置から受信した原稿読取信号を蓄積するメモリの例である。
【０２２２】
また、通信制御部１０６は、画像処理装置から受信した原稿読取信号を、回線を介して、送信する送信手段の例である。制御部２０１、ＲＯＭ２０２は、画像処理装置に、原稿の読み取りを指示する読取指示信号を発生する読み取り信号発生手段の例である。無線部２０５は、読取指示信号を、画像処理装置に送信する送信手段の例である。
【０２２３】
さらに、ネットワーク制御部３１２は、コードレス子機からの原稿読取指示信号を、通信装置を介して受信する原稿読取指示信号受信手段の例である。読取部３０７は、受信した原稿読取指示に基づいて、原稿を読み取る原稿読取手段の例である。ネットワーク制御部３１２は、原稿を読み取った読取データを、通信装置に送信する送信手段の例である。
【実施例５】
【０２２４】
以上、本発明の実施例について詳述したが、本発明は、前述した実施例の機能を実現するプログラムを、システム或いは装置に直接或いは遠隔から供給し、そのシステム或いは装置が、供給されたプログラムコードを読み出して実行することによっても達成される。したがって、本発明の機能処理をコンピュータで実現するために、コンピュータにインストールされるプログラムコード自体も本発明の技術的範囲に含まれる。
【０２２５】
その場合、プログラムの機能を有していれば、オブジェクトコード、インタプリタにより実行されるプログラム、ＯＳに供給するスクリプトデータ等、プログラムの形態を問わない。
【０２２６】
プログラムを供給する記録媒体として、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカードがある。また、プログラムを供給する記録媒体として、ＲＯＭ、ＤＶＤ（ＤＶＤ−ＲＯＭ、ＤＶＤ−Ｒ）等がある。
【０２２７】
プログラムを供給する場合、クライアントコンピュータのブラウザを用いてインターネットのホームページに接続し、ホームページから本発明のコンピュータプログラムそのものをハードディスク等の記録媒体にダウンロードすることによって供給できる。また、圧縮され自動インストール機能を含むファイルをハードディスク等の記録媒体にダウンロードすることによっても、プログラムを供給できる。
【０２２８】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【０２２９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせるようにしてもよい。このようにすれば、その鍵情報を使用することにより暗号化されたプログラムを実行してコンピュータにインストールさせて実現することも可能である。
【０２３０】
また、コンピュータが、読み出したプログラムを実行することによって、前述した実施例の機能が実現される他、そのプログラムの指示に基づき、コンピュータ上で稼動しているＯＳなどが、実際の処理の一部または全部を行う。このようにすれば、その処理によっても前述した実施例の機能が実現され得る。
【０２３１】
さらに、記録媒体から読み出されたプログラムが、コンピュータに挿入された機能拡張ボードやコンピュータに接続された機能拡張ユニットに備わるメモリに書き込まれた後に、そのプログラムの指示に基づいて実行するようにしてもよい。これによって、その機能拡張ボードや機能拡張ユニットに備わるＣＰＵなどが、実際の処理の一部または全部を行い、その処理によっても前述した実施例の機能が実現される。
【図面の簡単な説明】
【０２３２】
【図１】本発明の実施例１である通信システムＣＳ１の構成を示すブロック図である。
【図２】通信ＢＯＸ１００の構成を示すブロック図である。
【図３】実施例１におけるコードレス子機２００の構成を示すブロック図である。
【図４】ＭＦＰ３００の構成を示すブロック図である。
【図５】実施例１におけるコードレス子機２００の外観を示す図である。
【図６Ａ】実施例１におけるコードレス子機２００の動作を示すフローチャートである。
【図６Ｂ】実施例１における通信ＢＯＸ１００の動作を示すフローチャートである。
【図６Ｃ】実施例１におけるＭＦＰ３００の動作を示すフローチャートである
【図７】実施例１において、ファクシミリ送信動作を示すフローチャートである。
【図８】実施例１において、通話動作を示すフローチャートである。
【図９】実施例２におけるコードレス子機１２００の外観を示す図である。
【図１０Ａ】実施例２におけるＭＦＰ３００、通信ボックス１００、コードレス子機１２００のそれぞれの動作を示すフローチャートである。
【図１０Ｂ】実施例２におけるファクシミリ送信動作を示すフローチャートである。
【図１１】実施例３におけるコードレス子機２２００の外観を示す図である。
【図１２】実施例３におけるコードレス子機２２００の、電話帳データからのファクシミリ送信、通話の動作を示すフローチャートである。
【図１３】実施例３における通信ボックス１００の、電話帳登録の動作を示すフローチャートである。
【図１４】実施例３における通信ボックス１００の、電話帳データからのファクシミリ送信、通話の動作を示すフローチャートである。
【図１５】実施例３における通信ボックス１００の、電話帳データからのファクシミリ送信、通話の動作を示すフローチャートである。
【図１６】実施例３におけるＭＦＰ３００の、電話帳データからのファクシミリ送信の動作を示すフローチャートである。
【図１７】実施例３におけるコードレス子機２２００の電話帳登録の動作を示すフローチャートである。
【図１８】実施例３における通信ボックス１００の、電話帳登録の動作を示すフローチャートである。
【図１９】実施例４におけるＭＡＣアドレスの参考フォーマットを示す図である。
【図２０】実施例４において、コードレス子機２００とＭＦＰ３００とを対応付けるときに、表示部２０７が表示する例を示す図である。
【図２１Ａ】実施例３における、電話番号の電話帳登録動作を示すフローチャートである。
【図２１Ｂ】実施例３における、電話番号の電話帳登録動作を示すフローチャートである。
【図２２】実施例３における、電話帳データからのファクシミリ送信動作を示すフローチャートである。
【図２３】実施例３における、電話帳データからの通話動作を示すフローチャートである。
【符号の説明】
【０２３３】
ＣＳ１…通信システム、
１００…通信ＢＯＸ、
２００、１２００、２２００…コードレス子機、
３００…ＭＦＰ。
【図１】
2007089041.tif 000003
【図２】
2007089041.tif 000004
【図３】
2007089041.tif 000005
【図４】
2007089041.tif 000006
【図５】
2007089041.tif 000007
【図６Ａ】
2007089041.tif 000008
【図６Ｂ】
2007089041.tif 000009
【図６Ｃ】
2007089041.tif 000010
【図７】
2007089041.tif 000011
【図８】
2007089041.tif 000012
【図９】
2007089041.tif 000013
【図１０Ａ】
2007089041.tif 000014
【図１０Ｂ】
2007089041.tif 000015
【図１１】
2007089041.tif 000016
【図１２】
2007089041.tif 000017
【図１３】
2007089041.tif 000018
【図１４】
2007089041.tif 000019
【図１５】
2007089041.tif 000020
【図１６】
2007089041.tif 000021
【図１７】
2007089041.tif 000022
【図１８】
2007089041.tif 000023
【図１９】
2007089041.tif 000024
【図２０】
2007089041.tif 000025
【図２１Ａ】
2007089041.tif 000026
【図２１Ｂ】
2007089041.tif 000027
【図２２】
2007089041.tif 000028
【図２３】
2007089041.tif 000029